(57)【要約】【課題】報知器による報知のタイミングが使用者の意識や好みを考慮したバランスに設定可能な冷蔵庫を提供する。【解決手段】貯蔵室と、該貯蔵室を開閉可能な扉と、扉の開閉状態を検知可能な扉センサと、報知器と、を有する冷蔵庫であって、扉センサが扉の開状態をアラーム時間以上検知した場合に報知器が鳴動し、アラーム時間を変更可能。【選択図】  図４
2019049386.tif 000002
【特許請求の範囲】
【請求項１】
貯蔵室と、該貯蔵室を開閉可能な扉と、該扉の開閉状態を検知可能な扉センサと、報知器と、を有する冷蔵庫であって、
前記扉センサが前記扉の開状態をアラーム時間以上検知した場合に前記報知器が鳴動し、
前記アラーム時間を変更可能なことを特徴とする冷蔵庫。
【請求項２】
請求項１に記載の冷蔵庫と、該冷蔵庫とネットワーク通信を介して通信可能な端末機器と、を有する冷蔵庫システムであって、
前記端末機器の操作によって前記アラーム時間を変更可能なことを特徴とする冷蔵庫システム。
【請求項３】
請求項１に記載の冷蔵庫と、該冷蔵庫とネットワーク通信を介して通信可能な端末機器と、を有する冷蔵庫システムであって、
前記端末機器の操作によって前記報知器が鳴動する際の音量を変更可能なことを特徴とする冷蔵庫システム。
【請求項４】
前記貯蔵室内に設けられた温度センサを有し、
前記扉センサが開状態を検知している場合に、前記開状態を検知した時点の温度を基準にして室内上昇温度以上上昇していることを検知したとき、前記報知部が鳴動し、
前記端末機器の操作によって前記室内上昇温度を変更可能なことを特徴とする請求項２又は３に記載の冷蔵庫システム。
【請求項５】
貯蔵室と、該貯蔵室を開閉可能な扉と、該扉の開閉状態を検知可能な扉センサと、を有する冷蔵庫と、
該冷蔵庫とネットワーク通信を介して通信可能な端末機器と、を有し、
前記冷蔵庫は、前記扉が開いていることを示す開き通知を前記端末機器に通知する冷蔵庫システムであって、
前記扉が開かれてから前記開き通知が送信されるまでの通知時間を、前記端末機器の操作によって変更可能なことを特徴とする冷蔵庫システム。
【請求項６】
前記開き通知を受けた前記端末機器は、後に再度開き通知を行う再通知要求部、固定電話若しくは他の端末機器に連絡を発信する連絡発信部、又は、前記通知時間を変更する通知時間変更要求部、の１つ、２つ、又は３つを出力することを特徴とする請求項５に記載の冷蔵庫システム。
【請求項７】
前記開き通知を前記端末機器に通知した後に前記扉が閉じられた場合、前記扉が閉じられた旨を示す閉じ通知を前記端末機器に通知することを特徴とする請求億５又は６に記載の冷蔵庫システム。
【請求項８】
貯蔵室と、該貯蔵室を開閉可能な扉と、該扉の開閉状態を検知可能な扉センサと、報知器と、を有する冷蔵庫から、ネットワーク通信を介して通知を受信可能な端末機器向けのプログラムであって、
前記扉が開かれてから前記報知器が鳴動するまでのアラーム時間を変更可能なことを特徴とする端末機器向けのプログラム。
【請求項９】
貯蔵室と、該貯蔵室を開閉可能な扉と、該扉の開閉状態を検知可能な扉センサと、を有する冷蔵庫からネットワーク通信を介して通知を受信可能な端末機器向けのプログラムであって、
前記扉が開かれている旨の開き通知が前記冷蔵庫から送信されるまでの通知時間を変更可能なことを特徴とする端末機器向けのプログラム。
【発明の詳細な説明】
【技術分野】
【０００１】
本発明は、冷蔵庫及び冷蔵庫システム並びに端末機器向けのプログラムに関する。
【背景技術】
【０００２】
冷蔵庫の扉が開放し続けている場合にその旨を報知する報知器を有する冷蔵庫が広く知られている。報知に関して付加的な機能を備えるものも提案されており、例えば、扉開閉回数と扉開閉累計時間から扉開閉平均時間を算出および記憶をし、前日のデータと比較をすることで節電に対する意識を啓発する技術が特許文献１に開示されている（００２７）。
【先行技術文献】
【特許文献】
【０００３】
【特許文献１】特開２０１３−２３８３４６号公報
【発明の概要】
【発明が解決しようとする課題】
【０００４】
特許文献１は、節電に対する使用者の意識を高めること等を目的としているが、そのようなデータの通知や、報知器による報知のタイミングが使用者の意識や好みと離れたものである虞がある。一方で、あまりに報知が遅いと、結果として冷蔵庫の消費電力が高止まりする虞がある。これら両者のバランスを使用者の好み等に応じて設定できることが望ましい。
【課題を解決するための手段】
【０００５】
上記事情に鑑みてなされた本発明の冷蔵庫は、貯蔵室と、該貯蔵室を開閉可能な扉と、該扉の開閉状態を検知可能な扉センサと、報知器と、を有する冷蔵庫であって、前記扉センサが前記扉の開状態をアラーム時間以上検知した場合に前記報知器が鳴動し、前記アラーム時間を変更可能なことを特徴とする。
【０００６】
また、上記事情に鑑みてなされた本発明の冷蔵庫システムは、貯蔵室と、該貯蔵室を開閉可能な扉と、該扉の開閉状態を検知可能な扉センサと、を有する冷蔵庫と、該冷蔵庫とネットワーク通信を介して通信可能な端末機器と、を有し、前記冷蔵庫は、前記扉が開いていることを示す開き通知を前記端末機器に通知する冷蔵庫システムであって、前記扉が開かれてから前記開き通知が送信されるまでの通知時間を、前記端末機器の操作によって変更可能なことを特徴とする。
【０００７】
また、上記事情に鑑みてなされた本発明の端末機器向けの第１のプログラムは、貯蔵室と、該貯蔵室を開閉可能な扉と、該扉の開閉状態を検知可能な扉センサと、報知器と、を有する冷蔵庫から、ネットワーク通信を介して通知を受信可能な端末機器向けのプログラムであって、前記扉が開かれてから前記報知器が鳴動するまでのアラーム時間を変更可能なことを特徴とする。
【０００８】
また、上記事情に鑑みてなされた本発明の端末機器向けの第２のプログラムは、貯蔵室と、該貯蔵室を開閉可能な扉と、該扉の開閉状態を検知可能な扉センサと、を有する冷蔵庫からネットワーク通信を介して通知を受信可能な端末機器向けのプログラムであって、前記扉が開かれている旨の開き通知が前記冷蔵庫から送信されるまでの通知時間を変更可能なことを特徴とする。
【図面の簡単な説明】
【０００９】
【図１】実施例１の冷蔵庫システムのブロック図
【図２】実施例１の端末機器の報知器設定画面を示す図
【図３】実施例１の冷蔵庫がデフォルトモードにて報知器を制御する場合に従うフローチャートを示す図
【図４】実施例１のユーザ設定遷移部を操作すると表示される画面を示す図
【図５】実施例１のオートモード選択部を指定された場合に冷蔵庫が従うフローチャートを示す図
【図６】実施例１のユーザモード選択部を指定された場合に冷蔵庫が従うフローチャートを示す図
【図７】実施例１の扉が開いている旨の通知を送られた端末機器が表示する画面を示す図
【図８】実施例１の扉が閉められた旨の通知を送られた端末機器が表示する画面を示す図
【発明を実施するための形態】
【００１０】
以下、本発明の実施例を添付の図面を参照しつつ説明する。
【実施例１】
【００１１】
図１は本実施例の冷蔵庫システムのブロック図である。冷蔵庫システムは、使用者が携帯できるスマートフォンなどの端末機器１、通信部を有する冷蔵庫２、ルータ３、及びサーバ４を有する。
端末機器１は、使用者の所望に応じて、冷蔵庫２の報知器に関する設定の変更処理を行うことができる。端末機器１は、サーバ４と広域ネットワークを通じて通信可能である。
冷蔵庫２は、サーバ４と広域ネットワークを通じて通信可能であり、必要に応じてルータ３を介することができる。その場合、ルータ３は、冷蔵庫２と例えばＷｉ−Ｆｉ（登録商標）やＢｌｕｅｔｏｏｔｈ（登録商標）等を利用したローカルネットワーク通信を冷蔵庫２との間で行い、サーバ４との広域ネットワーク通信を行うことができる。
【００１２】
冷蔵庫２は、１又は２以上の貯蔵室及びそれぞれの貯蔵室を開閉可能な扉、扉の開閉を検知可能な検知部、それぞれの貯蔵室の温度を検知する温度検知部、ネットワークを介して端末機器１及びサーバ４との間で情報のやり取りが可能な通信部、及び、音を発する又は通信部を介して端末機器１又はサーバ４に通知を送信することが可能な報知器、を有する。冷蔵庫２は、扉が開かれてから閉じられるまでの時間を計測可能であり、その時間や端末機器１を通じた設定に応じて報知器が音を発したり端末機器１又はサーバ４に通知を送信したりできる。また、冷蔵庫２は、或る貯蔵室の扉が開かれた時点におけるその貯蔵室の温度及びその後の温度を検知可能であり、扉が開かれてからの温度上昇値に応じて報知器が音を発したり端末機器１又はサーバ４に通知を送信したりできる。
【００１３】
図２は、本実施例の端末機器１の報知器設定画面を示す図である。端末機器１は、冷蔵庫２との通信に応じて、冷蔵庫２又はサーバ４から、メールを受信したり、音を発したり、アプリケーション等による通知画面を表示することができる。端末機器１の報知器設定画面は、デフォルトモード選択部５、オートモード選択部６、ユーザモード選択部７、ユーザ設定遷移部８、及び決定部９を含んで表示する。
【００１４】
冷蔵庫２の報知器は、何れかの扉が開いてから閉じられるまでの時間（アラーム時間）、又は何れかの扉が開いてからその扉が開閉する貯蔵室の温度上昇値（室内上昇温度値）の一方又は両方に応じて、鳴動する。鳴動を継続する時間（鳴動時間）は適宜初期設定されているが、例えば１秒程度に設定できる。
選択が完了したユーザは決定部９を操作することで、この画面を終了させることができる。
【００１５】
図３は、本実施例の冷蔵庫２がデフォルトモードにて報知器を制御する場合に従うフローチャートを示す図である。冷蔵庫２は、工場出荷の初期状態にてデフォルトモードに設定されることができる。また、ユーザが端末機器１の操作によってデフォルトモード選択部５を指定し、その指定をサーバ４を介して冷蔵庫２に送信することで設定することができる。
デフォルトモードに設定された冷蔵庫２は、何れかの貯蔵室の扉が開かれていることを検知すると（ステップＳ３００，Ｙｅｓ）、扉開時間をカウントし始める（ステップＳ３１０）。開かれていた扉が閉まると（ステップＳ３２０，Ｙｅｓ）、扉開時間はリセットされる（ステップＳ３２１）が、カウントが所定時間（本実施例では１分）を超えると（ステップＳ３２０，Ｎｏ及びステップＳ３３０，Ｙｅｓ）、報知器が鳴動する（ステップＳ３４０）。
【００１６】
図４は、ユーザ設定遷移部８を操作すると表示される画面を示す図である。この画面を通じた操作によって、ユーザは、扉が開かれてから報知器（アラーム）が鳴動するまでの扉開時間（アラーム時間）や、報知器が鳴動するまでの温度（室内上昇温度値）を設定することができる。ユーザは、アラーム時間設定部１３に数値を入力することで、扉開が検知されてから報知器が鳴動するまでの時間（アラーム時間）を好みの時間に設定できる。また、室内上昇温度設定部１４に数値を入力することで、扉開が検知された時点においてこの扉が開閉する貯蔵室の温度を基準に、どのくらい温度が上昇したら報知器を鳴動させるか（室内上昇温度値）を好みの値に設定できる。また、通知時間設定部１５に数値を入力することで、扉が開かれてから冷蔵庫２が端末機器１に通知するまでの時間（通知時間）を好みの値に設定できる。アラーム時間や通知時間の値や大小関係に特に制限はない。
入力が完了したユーザは決定部１６を操作することで、この画面を終了させることができる。
【００１７】
図５は、オートモード選択部６を指定された場合に冷蔵庫２が従うフローチャートを示す図である。オートモードに設定された冷蔵庫２は、何れかの貯蔵室の扉が開かれていることを検知すると（ステップＳ５００，Ｙｅｓ）、その時点においてその貯蔵室の温度検知部が検知している温度を記憶する（ステップＳ５１０）とともに、扉開時間をカウントし始める（ステップＳ５２０）。開かれていた扉が閉まると（ステップＳ５３０，Ｙｅｓ）、記憶した温度をリセットする（ステップＳ５３１）とともに扉開時間をリセットする（ステップＳ５３２）。一方、扉閉を検知する前に（ステップＳ５３０，Ｎｏ）、記憶した温度を基準にして室内上昇温度値以上上昇した温度を検知する（ステップＳ５４０，Ｙｅｓ）又はカウントが所定時間を超えると（ステップＳ５５０，Ｙｅｓ）、報知器が鳴動する（ステップＳ５６０）。このように、オートモードでは、扉が開かれてからの経過時間及びその扉に対応する貯蔵室の温度の上昇値に基づいて報知器が鳴動する。
【００１８】
図６は、ユーザモード選択部７を指定された場合に冷蔵庫２が従うフローチャートを示す図である。ユーザモードに設定された冷蔵庫２は、何れかの貯蔵室の扉が開かれていることを検知すると（ステップＳ４００，Ｙｅｓ）、その時点においてその貯蔵室の温度検知部が検知している温度を記憶する（ステップＳ４１０）とともに、扉開時間をカウントし始める（ステップＳ４２０）。開かれていた扉が閉まると（ステップＳ４３０，Ｙｅｓ）、記憶した温度をリセットする（ステップＳ４３１）とともに扉開時間をリセットする（ステップＳ４３２）。さらに、後述するように端末機器１に扉開を通知していた場合（ステップＳ４３８，Ｙｅｓ）は、扉が閉められた旨を端末機器１に通知する（ステップＳ４３９）。
【００１９】
一方、扉閉を検知する前に（ステップＳ４３０，Ｎｏ）、通知時間設定部１５で予め入力された時間が経過していて（ステップＳ４３５，Ｙｅｓ）、かつ端末機器１に扉が開かれている旨の通知がされていなければ（ステップＳ４３６，Ｎｏ）、冷蔵庫２から端末機器１に通知が送信される（ステップＳ４３７）。
【００２０】
また、通知時間設定部１５で入力された時間が経過していないか（ステップＳ４３５，Ｎｏ）、既に端末機器１に扉が開かれている旨の通知がされている場合（ステップＳ４３６，Ｙｅｓ）は、扉が開かれている貯蔵室の現在の温度が、記憶した温度から室内上昇温度設定部１４で予め入力された値以上上昇しているか判定する（ステップＳ４４０）。ステップＳ４４０がＹｅｓの場合、又は、カウントがアラーム時間設定部１３で予め入力された時間を超えた場合（ステップＳ４５０，Ｙｅｓ）、報知器が鳴動する（ステップＳ４６０）。
【００２１】
このようにユーザモードでは、端末機器１に通知を送るまでの通知時間を設定可能であるとともに、予めユーザが入力した時間及び温度値によって報知器が鳴動するタイミングを変更できる。なお、時間及び温度値の何れか一方のみによって報知器が鳴動し得るようにしても良い。
【００２２】
以上の３つのモードは、矛盾しない限りそれぞれの処理を組合せることができる。
【００２３】
図７は、扉が開いている旨の通知を送られた端末機器１が表示する画面を示す図である。ステップＳ４３７では、冷蔵庫２は、いずれの貯蔵室の扉が開いているのかを検知するとともに、その旨を端末機器１に送信する。通知を送られた端末機器１は、通知された貯蔵室の扉が開いている旨を示す文章、図、又は音声等で報知する。本実施例では、文章による開き通知４０を示すとともに、端末機器１の発音部から音声を出力する。端末機器１は開き通知４０の他に、後でもう一度端末機器１による報知を行わせる再通知要求部４１、端末機器１にあらかじめ登録されている電話番号又は手動で入力する電話番号に電話を行う連絡発信部４２、及び扉が開いた時刻から通知が送られるまでの時間を変更する通知時間変更要求部４３を表示することができる。
【００２４】
再通知要求部４１が指定されると、所定時間又はユーザが指定した時間が経過した後、改めて報知が行われる。連絡発信部４２が指定されると、自動で又は手動で、例えば自宅に設置された固定電話又は家族が所有する別の端末機器への通話が発信される。通知時間変更要求部４３が指定されると、自動で所定の時間だけ通知時間設定部１５の値が更新される又は通知時間設定部１５の入力画面が表示される。
【００２５】
連絡発信部４２は、電話に代えてメールやＳＭＳ等、音声以外の方法によって連絡する手段を実行するものであっても良い。
【００２６】
図８は、扉が閉められた旨の通知を送られた端末機器１が表示する画面を示す図である。ステップＳ４３９では、冷蔵庫２は、通知した貯蔵室の扉が閉められた旨を端末機器１に送信する。通知を送られた端末機器１は、通知された貯蔵室の扉が閉められた旨を示す文章、図、又は音声等で報知する。本実施例では、文章による閉じ通知４９を示すとともに、端末機器１の発音部から音声を出力する。この画面でも、端末機器１は、連絡発信部４２や通知時間変更要求部４３を表示できる。
【００２７】
開き通知や閉じ通知を表示したり、再通知要求部４１、連絡発信部４２や通知時間変更要求部４３を提供するために必要な端末機器向けのプログラムは、端末機器１にインストールされても良いし、広域ネットワークを介してサーバ４やその他のサーバから提供されても良い。サーバから提供される場合、端末機器１は、ユーザインターフェースにこれらを表示するなどしてユーザが端末機器向けのプログラムを利用した操作を可能にすることができる。
【００２８】
なお、冷蔵庫２の報知器の音量を端末機器１又は冷蔵庫２の操作を通じて変更可能にしても良い。これにより、使用者の聴力に応じた適切な音量を設定できる。音量を変更しようとする際、設定されようとする音量を試験的に実際に生じさせ(鳴動させ)ることができるようにしてもよい。
【符号の説明】
【００２９】
１  端末機器
２  冷蔵庫
３  ルーター
４  サーバ
５  デフォルトモード選択部
６  オートモード選択部
７  ユーザモード選択部
８  ユーザ設定遷移部
９  決定部
１３  アラーム時間設定部
１４  室内上昇温度設定部
１５  通知時間設定部
１６  決定部
４０  開き通知
４１  再通知要求部
４２  連絡発信部
４３  通知時間変更要求部
４９  閉じ通知
【図１】
2019049386.tif 000003
【図２】
2019049386.tif 000004
【図３】
2019049386.tif 000005
【図４】
2019049386.tif 000006
【図５】
2019049386.tif 000007
【図６】
2019049386.tif 000008
【図７】
2019049386.tif 000009
【図８】
2019049386.tif 000010